(57)【要約】【課題】表示のための操作をすることなく、ハードディスクの残容量を確認可能とする。【解決手段】電源がオンされたとき、メインマイコンは、ＨＤＤマイコンに残容量確認コマンドを送信する。ＨＤＤマイコンは、ハードディスクをイニシャルサーチして、残容量を調べ、その結果をメインマイコンに返信する。メインマイコンは、受信した結果からハードディスクの残容量を把握して、表示部のＬＥＤを残容量に応じた個数だけ点灯する。【選択図】　図３
2004013922.tif 000002
【特許請求の範囲】
【請求項１】
ランダムアクセス可能な記録媒体と、該記録媒体の残容量を監視する残容量監視手段と、残容量を表示する表示部と、電源をオンしたとき前記残容量監視手段から取得した残容量を前記表示部に表示させる制御手段とを備えたことを特徴とする記録再生装置。
【請求項２】
制御手段は、電源オン後、残容量を常時表示するように表示部を作動させ、一定時間毎に残容量監視手段から最新の残容量を取得して、前記残容量を更新することを特徴とする請求項１記載の記録再生装置。
【発明の詳細な説明】
【０００１】
【発明の属する技術分野】
本発明は、映像、音声等の各種情報をデジタルデータとして記録する記録媒体を備えた記録再生装置に関し、特にデジタルＴＶ、デジタルビデオ等のデジタル家電機器に内蔵される記録再生装置に関する。
【０００２】
【従来の技術】
例えばテレビ放送や映像を記録して再生する記録再生装置において、ランダムアクセス可能な大容量の記録媒体として、ハードディスクやＤＶＤ等の記録ディスクを使用している。
【０００３】
記録媒体には、番組や動画を録画すると、映像信号を符号化したデジタルデータが保存され、１つの映像ファイルが作成される。なお、映像信号は、音声信号を含むもの、あるいは音声信号を含まないもののいずれかとされる。記録媒体の容量は、記録するときにサーチされており、現在の使用量あるいは残容量がわかるようになっている。
【０００４】
上記の記録再生装置は、テレビ等のモニタと接続され、再生した映像を映し出す。モニタの電源をオンして、リモコンによってこのモニタにメニュ画面を表示させ、残容量確認画面に移行させる。すると、現在の使用量が表示され、残容量がどのくらいあるか確認可能となる。
【０００５】
ユーザは、残容量を知ることにより、番組を記録するといった場合、必要な残容量があるか確認でき、番組が途中で切れてしまうといった記録ミスを防げる。また、残容量に応じて記録時の記録モードを高画質、標準、長時間から選択したり、ファイルの削除、編集等の整理をして、容量の調整を行える。
【０００６】
【発明が解決しようとする課題】
モニタを利用して残容量を表示するには、モニタの電源をオンしておく必要がある。そして、リモコンの操作によって表示させなければならず、残容量を確認するのに手間と時間がかかる。急に番組を記録するようになった場合、残容量を確認せずに記録しなければならなくなり、番組の最後まで記録できない事態が生じる可能性がある。
【０００７】
また、特開２００１−３０７４６５号公報には、記録媒体の残量を監視して、残量がしきい値を下回ったときに、画面に表示することが記載されている。特開平５−２８７２６号公報には、記録動作毎に記録媒体の残量を検出して、表示することが記載されている。
【０００８】
これらの従来技術では、リモコン操作が不要となっているが、前者では、記録媒体の残容量が少なくなったときにしか表示されず、ユーザは残容量を常時把握しておくことができない。また、後者でも同様に、常時表示されるものではなく、例えば電源をオンしたときに表示されないので、残容量を把握できないといった不便さがある。
【０００９】
本発明は、上記に鑑み、記録媒体の残容量を手間をかけずに常時確認できる記録再生装置を提供することを目的とする。
【００１０】
【課題を解決するための手段】
本発明による課題解決手段は、ランダムアクセス可能な記録媒体と、該記録媒体の残容量を監視する残容量監視手段と、残容量を表示する表示部と、電源をオンしたとき前記残容量監視手段から取得した残容量を前記表示部に表示させる制御手段とを備えたものである。
【００１１】
そして、制御手段は、電源オン後、残容量を常時表示するように表示部を作動させ、一定時間毎に残容量監視手段から最新の残容量を取得して、前記残容量を更新する。
【００１２】
残容量監視手段は、動作中は常に記録媒体の残容量を監視している。これを利用して、電源がオンされたとき、残容量監視手段から残容量の情報を取得することにより、特別な操作をすることなしに自動的に残容量を表示することができる。
【００１３】
また、電源がオンされた後でも、残容量監視手段から定期的に残容量の情報を取得すれば、何ら操作することなく最新の残容量に更新することができ、正確な残容量を表示することができる。
【００１４】
【発明の実施の形態】
本発明の一実施形態の記録再生装置を図１に示す。本記録再生装置は、記録媒体としてハードディスク１を備え、さらにビデオカセットテープ用デッキ部２を備えている。ハードディスク１は、ＨＤＤマイコン（ハードディスクマイコン）３によって駆動制御され、デジタルデータの記録、再生を行う。デッキ部２は、メインマイコン４によって駆動制御され、アナログデータの記録、再生を行う。メインマイコン４は、装置全体の制御も司る。
【００１５】
そして、図２に示すように、記録再生装置のフロントパネル５には、複数のキー６、入力端子７および表示窓８を有する入力部９が設けられている。さらに、ハードディスク１の残容量を表示するための表示部１０が設けられている。表示部１０には、複数、ここでは５個のＬＥＤ１１が一列に並べられている。なお、図中、１２はビデオカセットテープの挿入口である。
【００１６】
ハードディスク１には、チューナからの映像信号や外部入力された映像信号をデジタル信号に変換したデジタルデータが書き込まれ、任意の容量のファイルが作成される。ＨＤＤマイコン３は、電源がオンされている間、記録中あるいは再生中の如何にかかわらず、ハードディスク１の全容量のうち使用された容量を常時サーチして、ハードディスク１の残容量を認識している。すなわち、ＨＤＤマイコン３は、ハードディスク１の残容量を監視する機能を有する。
【００１７】
メインマイコン４は、電源がオンされたときおよび電源オン中、ＨＤＤマイコン３からハードディスク１の残容量の情報を取得して、現時点の残容量を表示するために表示部１０を駆動する。
【００１８】
すなわち、図３に示すように、電源がオンされると、メインマイコン４は、ＨＤＤマイコン３に残容量確認コマンドを送信する。ＨＤＤマイコン３では、電源がオンされたとき、ハードディスク１にアクセスして、現在の使用量を調べるイニシャルサーチを開始する。ＨＤＤマイコン３がハードディスク１の使用量から残容量を確認すると、ＨＤＤマイコン３からメインマイコン４にイニシャルサーチ結果を返信する。
【００１９】
ここで、ＨＤＤマイコン３から一定時間内に返信がない場合、記録されているファイルに異常がある等の何らかのエラーが発生して、イニシャルサーチが滞っている。このように、所定時間経過しても返信がないと、メインマイコン４は、再度残容量確認コマンドをＨＤＤマイコン３に送信する。ＨＤＤマイコン３は、異常のあるファイルを修復しながら、全体の使用量を調べ、そのサーチ結果をメインマイコン４に返信する。
【００２０】
メインマイコン４では、イニシャルサーチ結果を受信すると、その返信内容よりハードディスク１の使用量、すなわち残容量を把握する。そして、総容量に対する残容量の比率を算出して、この比率に応じて表示部１０のＬＥＤ１１を点灯する。
【００２１】
表示部１０では、５個のＬＥＤ１０により５段階表示する。すなわち、ハードディスク１の総容量のうち１／５（２０％）を使用しているとき、１個のＬＥＤ１１を点灯する。ＬＥＤ１１が４個点灯していれば、ハードディスク１の使用量は４／５（８０％）であり、残容量が１／５（２０％）であることをユーザに知らせることができる。また、残容量が０の場合、全てのＬＥＤ１１を点滅させ、ユーザに注意を促す。あるいは、ＬＥＤ１１の発光色を異なる色にしてもよい。
【００２２】
このように電源をオンするだけで、総容量に対する比率で残容量を表示することによって、一目瞭然に残容量を認識させることができる。ハードディスク１は総容量に限りがあり、記録モードによって録画時間が異なることから、残り時間も異なってくるが、比率で表示することにより、時間に関係なくおおよその目安が得られる。
【００２３】
電源をオンして、記録再生装置を使用している間に、ハードディスク１にデジタルデータが書き込まれたり、削除されたりして、ハードディスク１の使用量は変化する。ＨＤＤマイコン３は、常時ハードディスク１の動作を監視しており、使用量を調べて、現在の残容量を認識している。そこで、メインマイコン４は、電源オン中、一定時間経過する毎にＨＤＤマイコン３に残容量確認コマンドを送信する。
【００２４】
コマンドを受信したＨＤＤマイコン３は、現在のハードディスク１の使用量をメインマイコン４に返信する。メインマイコン４では、最新の残容量を取得することができ、この残容量の比率に応じて表示部１０のＬＥＤ１１を上記と同様に点灯する。これが、電源をオフするまで繰り返される。
【００２５】
このように、電源オン中、定期的に残容量の情報を更新していくことにより、ユーザはいつでもハードディスク１の残容量を知ることができる。したがって、録画予約を行うときに、その都度残容量を確認する手間が省け、使い勝手がよくなる。
【００２６】
なお、本発明は、上記実施形態に限定されるものではなく、本発明の範囲内で上記実施形態に多くの修正および変更を加え得ることは勿論である。記録媒体は、ハードディスクに限らず、書き換え可能なＤＶＤ、ＣＤ、ＭＤ、半導体メモリであってもよい。このような記録媒体を用いた記録再生装置としてとしては、デジタルデータを取り扱うことができる、テレビ、ビデオ、オーディオ機器、電子レンジ、冷蔵庫、プリンタ等のデジタル家電機器である。
【００２７】
表示部はバー表示としてもよく、総容量に対する残容量の比率で表示する。また、表示部のＬＥＤを増やして、残容量を細かく表示してもよい。さらに、残容量に応じてＬＥＤの発光色を変化させてもよい。
【００２８】
【発明の効果】
以上の説明から明らかな通り、本発明によると、電源オンの状態にあれば、常時ハードディスク等の記録媒体の残容量を自動的に表示することができる。そのため、モニタの電源のオンや残容量を確認するための操作が不要となるので、急に番組等を記録すべき事態が生じても、すぐに残容量を確認できる。したがって、記録媒体の残容量に応じて記録媒体に記録すべきか、あるいは他の記録媒体に記録すべきかを判断することが可能となり、記録が途中で終了してしまうといったことを防止できる。
【図面の簡単な説明】
【図１】本発明の一実施形態の記録再生装置の概略ブロック図
【図２】記録再生装置のフロントパネルを示す図
【図３】電源オン時における残容量表示のフローチャート
【図４】電源オン中における残容量表示のフローチャート
【符号の説明】
１　　ハードディスク
３　　ＨＤＤマイコン
４　　メインマイコン
１０　　表示部
１１　　ＬＥＤ
【図１】
2004013922.tif 000003
【図２】
2004013922.tif 000004
【図３】
2004013922.tif 000005
【図４】
2004013922.tif 000006